(57)【要約】【課題】非接触通信が可能であるとともに情報を表示する非接触情報表示媒体において、非接触通信のみを行う場合に非接触通信のためだけの電力を得るだけで済み、かつ、非接触通信と表示制御とを同時に行う場合に、非接触通信と表示制御とで必要となる電力をそれぞれ確実に得る。【解決手段】非接触通信を行う処理部２４を駆動させるための電力を、送受信部１０ａにて取得された交流電流から生成し、情報の表示を行う表示制御部４０及び制御部５０を駆動させるための電力を、送信部１０ａとは別個の送受信部１０ｂにて取得された交流電流から生成する。【選択図】図２
2015031988.tif 000002
【特許請求の範囲】
【請求項１】
第１の周波数を具備する搬送波による交流電流を非接触状態にて取得して非接触通信を行うための第１の通信手段と、
前記第１の周波数とは異なる第２の周波数を具備する搬送波による交流電流を非接触状態にて取得する第２の通信手段と、
前記非接触通信によって受信された情報を表示する表示手段と、
前記表示手段における表示を制御する表示制御手段と、
前記第１の通信手段にて取得された交流電流から、前記非接触通信によって受信された情報について所定の処理を行うための電力を生成し、該電力を用いて前記処理を行う通信情報処理手段と、
前記第２の通信手段にて取得された交流電流から、前記表示制御手段及び前記表示手段を駆動させるための電力を生成する電源生成手段とを有し、
前記表示制御手段は、前記電源生成手段にて生成された電力によって駆動し、前記通信情報処理手段にて前記処理が行われた情報を前記表示手段に表示させる非接触情報表示媒体。
【発明の詳細な説明】
【技術分野】
【０００１】
本発明は、非接触通信が可能であるとともに情報を表示する非接触情報表示媒体に関し、特に、情報を表示するために必要となる電力による非接触通信における弊害を回避する技術に関する。
【背景技術】
【０００２】
近年、情報化社会の進展に伴って、情報をカードに記録し、該カードを用いた情報管理や決済等が行われている。このような情報管理や決済等に用いられるカードは、ＩＣチップが内蔵されたＩＣカードや、磁気により情報が書き込まれた磁気カード等があり、専用の装置を用いて情報の書き込みや読み出しが行われる。
【０００３】
さらに、ＩＣカードにおいては、情報の書き込みや読み出しを専用の装置に接触させることにより行う接触型ＩＣカードと、専用の装置に近接させるだけで情報の書き込みや読み出しを行うことができる非接触型ＩＣカードとがある。これらのＩＣカードは、磁気カードと比較してセキュリティ性が高いとともに書き込み可能な情報量が多く、また、１枚のカードを多目的に使用できるため、市場における普及度は増加の一途を辿っている。また、その中でも、非接触型ＩＣカードにおいては、情報の書き込みや読み出しを行う際、カードを取り出して専用の装置に挿入する必要がなく取り扱いに便利なため、そのカード及び該カードに書き込まれた情報を読み取るための装置の急速な普及が進みつつある。
【０００４】
非接触型ＩＣカードとしては、電磁誘導方式や電波方式によってリーダ／ライタから電力を取得して非接触通信を行うものがあり、リーダ／ライタから送信された搬送波に乗せられた電力によって起動し、搬送波に乗せられた情報を受信して処理を行う。この際、搬送波に乗せられた電力を、整流回路及び定電圧制御回路等を介して安定した直流電源に変換し、この直流電源を用いて、搬送波に乗せられた情報を受信して変復調回路にて復調したり、変復調回路にて変調した情報を搬送波に乗せて送信したりする処理を行う。なお、通信距離は一般的に、電磁誘導方式が数十ｃｍ、電波方式は数ｍであるが、電波方式は電磁誘導方式に比べて得られる電力は極めて微弱である。
【０００５】
近年、このような非接触型ＩＣカードに情報表示機能を付加した非接触情報表示媒体が考えられている。非接触型ＩＣカードに情報表示機能を付加した非接触情報表示媒体は、情報を受信して処理するための電力の他に、情報を表示するための電力が必要となる。
【０００６】
そこで、表示機能付きのＩＣカードにおいて、電源を内蔵し、情報を表示するための電力をこの電源から得るものが考えられている（例えば、特許文献１参照）。このＩＣカードでは、アンテナを介して受信した搬送波から通信用の電力を取り出す一方、表示用の電力を、内蔵した電源から得ることにより、情報を受信して処理するための電力の他に、情報を表示するための電力を得ることができる。ところが、電源を内蔵した場合、電源の寿命を考慮する必要が生じてしまう。
【０００７】
また、表示情報を無線で受信する表示装置において、２つのアンテナを設け、一方のアンテナにて表示情報を無線で受信するとともに、他方のアンテナにて電力を受け、この電力によって、一方のアンテナにて受信した表示情報を、復調処理や復号化処理を行うことによって復元するとともに、復元された表示情報に基づいて表示を行う構成が考えられている（例えば、特許文献２参照）。
【０００８】
また、非接触通信用の第１のアンテナと、この第１のアンテナにて受信した情報に基づく表示を行うＬＣＤ等の表示装置を駆動させる電力を得るための第２のアンテナとを設け、第１のアンテナにて得た電力によってＩＣチップを駆動させ、このＩＣチップにおいて、第１のアンテナにて受信した情報に基づいて、第２のアンテナにて得た電力によって駆動した表示装置の制御を行う構成が考えられている（例えば、特許文献３参照）。
【０００９】
特許文献２，３に記載のような構成とすることにより、電源の寿命を考慮する必要がなく、情報を受信して処理するための電力の他に、情報を表示するための電力を得ることができる。
【先行技術文献】
【特許文献】
【００１０】
【特許文献１】特開２０１２−１１８８３１号公報
【特許文献２】特開２０１３−２００５９号公報
【特許文献３】特許第４８５４９１４号公報
【発明の概要】
【発明が解決しようとする課題】
【００１１】
しかしながら、特許文献２に記載されたものにおいては、表示情報を受信するアンテナとは別のアンテナにて、受信した表示情報の復調処理や復号化処理を行うための電力と、復調処理や復号化処理によって復元された表示情報に基づいて表示を行うための電力とを得ているため、表示情報に基づいた表示を行わずに、表示情報の復調処理や復号化処理を行うだけの場合であっても、表示情報に基づいた表示を行うために十分な電力を得ることになる。ここで、一般的には、情報を受信してその復調処理や復号化処理を行うための電力よりも、情報を表示するための電力の方が多大である。そのため、表示情報に基づいた表示を行わずに、表示情報の復調処理や復号化処理を行うだけの場合であっても、多大な電力を送信側から送信しなければならないという問題点がある。また、１つのアンテナにて得られた電力によって、受信した表示情報の復調処理や復号化処理を行うとともに、復調処理や復号化処理によって復元された表示情報に基づいて表示を行うことになるため、情報を受信してその復調処理や復号化処理を行うための電力と、情報を表示するための電力とのどちらか一方が多大なものである場合、多大な電力を必要とする方に全ての電力がとられてしまい、なおかつ、その全ての電力が、多大な電力を必要とする方にて必要となる電力に満たないと、情報を受信して処理することも情報を表示することもできなくなってしまうことになる。一般的には、上述したように、情報を受信してその復調処理や復号化処理を行うための電力よりも、情報を表示するための電力の方が多大であるため、得られた電力の全てが、情報を表示するための電力として用いられてしまい、情報を受信して処理することができなくなってしまう場合がある。上述した情報を表示するもののように、消費電力が比較的大きな部品を搭載した場合、その部品に電力がとられてしまい、非接触通信における信頼性及び安定性が低下してしまうことになる。
【００１２】
また、特許文献３に記載されたものにおいては、第１のアンテナにて得た電力によってＩＣチップを駆動させ、このＩＣチップにおいて、第１のアンテナを介して非接触通信を行うとともに、第１のアンテナにて受信した情報に基づいて表示制御を行うため、第１のアンテナにて得た電力が、非接触通信と表示制御とのうちいずれかに多く使われた場合、上記同様に、多大な電力を必要とする方に全ての電力がとられてしまい、なおかつ、その全ての電力が、多大な電力を必要とする方にて必要となる電力に満たないと、情報を受信して処理することも情報を表示することもできなくなってしまう虞れがある。得られた電力の全てが、表示制御の電力として用いられた場合、非接触通信を行うことができなくなってしまう場合があり、非接触通信における信頼性及び安定性が低下してしまうことになる。また、非接触通信と表示制御とを同時に行う場合に、非接触通信と表示制御とのそれぞれに電力が分散してしまい、これら非接触通信と表示制御にて必要となる電力を供給できなくなる虞れがある。
【００１３】
本発明は、上述したような従来の技術が有する問題点に鑑みてなされたものであって、非接触通信が可能であるとともに情報を表示する非接触情報表示媒体において、非接触通信のみを行う場合に非接触通信のためだけの電力を得るだけで済み、かつ、非接触通信と表示制御とを同時に行う場合に、非接触通信と表示制御とで必要となる電力をそれぞれ確実に得ることができる非接触情報表示媒体を提供することを目的とする。
【課題を解決するための手段】
【００１４】
上記目的を達成するために本発明は、
第１の周波数を具備する搬送波による交流電流を非接触状態にて取得して非接触通信を行うための第１の通信手段と、
前記第１の周波数とは異なる第２の周波数を具備する搬送波による交流電流を非接触状態にて取得する第２の通信手段と、
前記非接触通信によって受信された情報を表示する表示手段と、
前記表示手段における表示を制御する表示制御手段と、
前記第１の通信手段にて取得された交流電流から、前記非接触通信によって受信された情報について所定の処理を行うための電力を生成し、該電力を用いて前記処理を行う通信情報処理手段と、
前記第２の通信手段にて取得された交流電流から、前記表示制御手段及び前記表示手段を駆動させるための電力を生成する電源生成手段とを有し、
前記表示制御手段は、前記電源生成手段にて生成された電力によって駆動し、前記通信情報処理手段にて前記処理が行われた情報を前記表示手段に表示させる。
【００１５】
上記のように構成された本発明においては、リーダ／ライタ等の外部装置から送信された第１の周波数を具備する搬送波には、非接触通信のための情報と、この情報について非接触情報表示媒体が所定の処理を行うための電力とが乗せられている。第１の通信手段においてこの搬送波が受信されることにより、非接触状態にて交流電流が取得されて非接触通信が行われる。第１の通信手段にて交流電流が取得されると、通信情報処理手段において、第１の通信手段にて取得された交流電流から、非接触通信によって受信された情報について所定の処理を行うための電力が生成され、非接触通信によって受信された情報について、生成した電力を用いて所定の処理が行われる。また、リーダ／ライタ等の外部装置から送信された第２の周波数を具備する搬送波には、非接触情報表示媒体が所定の処理を行った情報を表示するための電力が乗せられている。第２の通信手段においてこの搬送波が受信されることによって交流電流が取得されると、電源生成手段において、第２の通信手段にて取得された交流電流から表示制御手段及び表示手段を駆動させるための電力が生成される。そして、電源生成手段にて生成された電源によって表示制御手段及び表示手段が駆動し、表示制御手段の制御によって、通信情報処理手段にて所定の処理が行われた情報が表示手段に表示される。
【００１６】
このように、第１の通信手段にて取得された交流電流から、非接触通信によって受信された情報について所定の処理を行うための電力が生成され、また、第２の通信手段にて取得された交流電流から、非接触情報表示媒体が所定の処理を行った情報を表示する表示手段とこの表示手段における表示を制御する表示制御手段とを駆動させるための電力が生成されるので、情報を表示せずに非接触通信のみを行う場合は、第１の通信手段にて交流電流を取得するだけで済み、情報を表示する表示手段とこの表示手段における表示を制御する表示制御手段とを駆動させる電力を生成するための交流電流を第２の通信手段にて取得する必要がない。また、非接触通信によって受信された情報について所定の処理を行う電力を生成するための交流電流と、情報を表示する電力を生成するための交流電流とが、別個の通信手段にて取得され、これら別個の通信手段にて取得された交流電流から、非接触通信によって受信された情報について所定の処理を行う電力と、情報を表示する電力とが別個に生成されるので、非接触通信と表示制御とを同時に行う場合に、非接触通信と表示制御とで必要となる電力をそれぞれ確実に得ることができる。
【発明の効果】
【００１７】
本発明によれば、非接触通信によって受信された情報について所定の処理を行う電力を生成するための交流電流と、情報を表示する電力を生成するための交流電流とが、別個の通信手段にて取得され、これら別個の通信手段にて取得された交流電流から、非接触通信によって受信された情報について所定の処理を行う電力と、情報を表示する電力とが別個に生成される構成としたため、非接触通信のみを行う場合に非接触通信のためだけの電力を得るだけで済み、かつ、非接触通信と表示制御とを同時に行う場合に、非接触通信と表示制御とで必要となる電力をそれぞれ確実に得ることができる。
【図面の簡単な説明】
【００１８】
【図１】本発明の非接触情報表示媒体の実施の一形態を示す図であり、（ａ）は表面図、（ｂ）は内部構造を示す図である。
【図２】図１に示したＩＣカードの機能ブロック図である。
【図３】図１及び図２に示したＩＣカードが非接触通信を行う状態を示す図である。
【図４】図３に示した状態における図１及び図２に示したＩＣカードの動作を説明するためのシーケンス図である。
【図５】図１及び図２に示したＩＣカードにて表示部に表示される情報の更新時の動作を説明するためのフローチャートである。
【発明を実施するための形態】
【００１９】
以下に、本発明の実施の形態について図面を参照して説明する。
【００２０】
図１は、本発明の非接触情報表示媒体の実施の一形態を示す図であり、（ａ）は表面図、（ｂ）は内部構造を示す図である。
【００２１】
本形態は図１に示すように、情報が表示される情報表示領域２を有するＩＣカード１である。ＩＣカード１は、ベース基材上に２つのアンテナ３ａ，３ｂが形成され、ＩＣチップ４がアンテナ３ａに接続されて搭載されている。また、アンテナ３ｂには、表示電源部６が接続されており、表示電源部６にはＣＰＵ８を介して表示ドライバ７が接続され、この表示ドライバ７によって、情報表示領域２にて情報を表示するための情報表示部５が駆動する。
【００２２】
アンテナ３ａは、ベース基材上に２つの帯状の導体が直線状に並んで形成されたダイポールアンテナであって、外部に設けられたリーダ／ライタから送信された、第１の周波数となる極超短波（ＵＨＦ）帯の交流からなる搬送波を受信することによって交流電流を取得し、この搬送波に乗せられた電力によって電流が流れ、この電流がＩＣチップ４に供給される。
【００２３】
アンテナ３ｂは、ベース基材上にコイル状に形成されており、外部に設けられたリーダ／ライタから送信された第２の周波数となる１３．５６ＭＨｚ帯の交流からなる搬送波を受信することによって交流電流を取得し、この搬送波に乗せられた電力によって電流が流れ、この電流が表示電源部６に供給される。
【００２４】
なお、アンテナ３ａ，３ｂとしては、上記のようなものに限定されず、互いに異なる周波数を具備する搬送波による交流電流を取得するものであればよい。
【００２５】
ＩＣチップ４は、アンテナ３ａを介してリーダ／ライタとの間にて非接触通信が可能なものであって、非接触通信によって情報の書き込みや読み出しが行われる。
【００２６】
情報表示部５は、情報表示領域２における表示パターン“００”〜“１９９”に応じたセグメント形状の表示電極と透明導電膜基板との間に、これら表示電極と透明導電膜基板との電位差によって表示色が変化する情報表示層が挟み込まれて構成されている。透明導電膜基板としては、例えば、ガラスや透明フィルム等からなる透明基板の一方の面にＩＴＯが形成されたものが考えられる。また、情報表示層としては、例えば、電気泳動タイプや電子粉粒タイプ、エレクトロクロミック等が挙げられる。
【００２７】
表示電源部６は、アンテナ３ｂから供給された電流を用いて表示ドライバ７及び情報表示部５を駆動するための電力を生成する。
【００２８】
ＣＰＵ８は、表示電源部６にて生成された電力によって駆動し、ＩＣチップ４にて処理された情報を情報表示部５に表示させるために表示ドライバ７を制御する。
【００２９】
表示ドライバ７は、表示電源部６にて生成された電力によって駆動し、ＣＰＵ８の制御によって、情報表示部５に電圧を供給する。
【００３０】
図２は、図１に示したＩＣカード１の機能ブロック図である。
【００３１】
図１に示したＩＣカード１は、その機能として、第１の通信手段となる送受信部１０ａと、第２の通信手段となる送受信部１０ｂと、通信情報処理部２０と、電源生成部３０と、表示制御部４０と、表示部５０とを有している。
【００３２】
送受信部１０ａは、図１に示したアンテナ３ａを構成するものである。送受信部１０ａは、リーダ／ライタから送信された交流からなる搬送波を受信することにより、非接触状態にて交流電流を取得し、搬送波に乗せられた情報を受信したり、情報を搬送波に乗せて送信したりして非接触通信を行う。
【００３３】
送受信部１０ｂは、図１に示したアンテナ３ｂを構成するものである。送受信部１０ｂは、リーダ／ライタから送信された交流からなる搬送波を受信することにより、非接触状態にて交流電流を取得する。
【００３４】
通信情報処理部２０は、図１に示したＩＣチップ４を構成するものであって、変復調回路２１と、整流回路２２と、定電圧制御回路２３と、処理部２４と、記憶部２５とを有している。
【００３５】
変復調回路２１は、送受信部１０ａにて受信された搬送波に情報が乗っている場合は、その情報を取り出し、処理部２４にて処理可能なデジタル値に復調する。また、処理部２４にて処理されたデジタル値による情報を、送受信部１０ａにおいて搬送波に乗せて送信可能なアナログ値に変調する。
【００３６】
整流回路２２は、送受信部１０ａにて取得された交流電流から、処理部２４にて所定の処理を行うために必要となる電力に応じた電流を取り出し、この電流を直流電流に変換する。
【００３７】
定電圧制御回路２３は、整流回路２２にて直流に変換された電流から安定した電圧を有する電源を生成し、それにより、処理部２４にて所定の処理を行うために必要となる電力を生成する。
【００３８】
処理部２４は、定電圧制御回路２３にて生成された電力によって、変復調回路２１にて復調された情報について所定の処理を行う。例えば、変復調回路２１にて復調された情報を記憶部２５に記憶したり、記憶部２５に記憶された情報を表示制御部４０とやりとりしたりするための処理を行う。また、記憶部２５に記憶された情報を変復調回路２１に出力し、リーダ／ライタに対して送信するための処理を行う。これらの処理は、処理部２４に記憶されたプログラムに従って行われたり、リーダ／ライタからのコマンドに従って行われたりする。
【００３９】
記憶部２５は、処理部２４にて処理された情報を記憶する。
【００４０】
電源生成部３０は、図１に示した表示電源部６を構成するものであって、整流回路３１と、定電圧制御回路３２とを有している。
【００４１】
整流回路３１は、送受信部１０ｂにて取得された交流電流から、表示制御部４０及び表示部５０を駆動させるために必要となる電力に応じた電流を取り出し、この電力を直流電流に変換する。
【００４２】
定電圧制御回路３２は、整流回路３１にて直流に変換された電流から安定した電圧を有する電源を生成し、それにより、表示制御部４０及び表示部５０を駆動させるために必要となる電力を生成する。
【００４３】
表示制御部４０は、図１に示した表示ドライバ７及びＣＰＵ８を構成するものであって、電源生成部３０にて生成された電力によって駆動し、処理部２４にて処理された情報を表示部５０に表示させる。
【００４４】
表示部５０は、図１に示した情報表示部５を構成するものであって、表示制御部４０の制御によって情報を表示する。
【００４５】
以下に、上記のように構成されたＩＣカード１の動作について説明する。
【００４６】
図３は、図１及び図２に示したＩＣカード１が非接触通信を行う状態を示す図である。図４は、図３に示した状態における図１及び図２に示したＩＣカード１の動作を説明するためのシーケンス図である。なお、以下の説明においては、図１及び図２のうち図２に示した構成要素を用いてＩＣカード１の動作を説明する。
【００４７】
図１及び図２に示したＩＣカード１は、図３に示すように、外部に設けられたリーダ／ライタ７０ａ，７０ｂとの間にて搬送波を送受信することによって非接触通信を行う。
【００４８】
リーダ／ライタ７０ａ，７０ｂはそれぞれ、制御部７１ａ，７１ｂと送受信部７２ａ，７２ｂとを有している。
【００４９】
ＩＣカード１に表示すべき表示情報は、リーダ／ライタ７０ａの制御部７１ａに含まれる変復調回路においてアナログの無線信号に変換され（ステップ１）、この無線信号が乗せられた搬送波が送受信部７２ａを介して送信される（ステップ２）。
【００５０】
ＩＣカード１がリーダ／ライタ７０ａに近接することにより、リーダ／ライタ７０ａの送受信部７２ａから送信された搬送波が送受信部１０ａにて受信されると、送受信部１０ａにおいて、受信した搬送波による交流電流が取得される（ステップ３）。リーダ／ライタ７０ａから送信された搬送波には、ＩＣカード１の通信情報処理部２０が動作するための電力が乗せられており、リーダ／ライタ７０ａの制御部７１ａは、搬送波に乗せる電力や情報を制御している。また、制御部７１ａは、情報の送信タイミングやＩＣカード１から受信した情報に応じた処理を行う。
【００５１】
すると、通信情報処理部２０の整流回路２２において、送受信部１０ａにて取得された交流電流から、処理部２４にて所定の処理を行うために必要となる電力に応じた電流が取り出され、この電流が直流電流に変換される。
【００５２】
次に、定電圧制御回路２３において、整流回路２２にて直流に変換された電流から安定した電圧を有する電源が生成され、それにより、処理部２４にて所定の処理を行うために必要となる電力が生成され（ステップ４）、この電力によって処理部２４が起動する（ステップ５）。
【００５３】
また、変復調回路２１において、送受信部１０ａにて受信された搬送波に乗せられた情報が取り出され、処理部２４にて処理可能なデジタル値に復調され、デジタル値に復調された情報が処理部２４に送られる。
【００５４】
処理部２４は、定電圧制御回路２３にて生成された電源によって駆動しており、変復調回路２１にて復調された情報が取得されると（ステップ６）、取得された情報について所定の処理が行われる。例えば、復調された情報を表示部５０に表示する場合に、変復調回路２１にて復調された情報は、記憶部２５に一旦記憶される（ステップ７）。
【００５５】
一方、リーダ／ライタ７０ｂの制御部７１ｂにおいては、ＩＣカード１の表示制御のための電力が生成され、この電力が乗せられた搬送波が送受信部７２ｂを介して送信される（ステップ８）。
【００５６】
リーダ／ライタ７０ｂの送受信部７２ｂから送信された搬送波が送受信部１０ｂにて受信されると、送受信部１０ａにおいて、受信した搬送波による交流電流が取得される（ステップ９）。リーダ／ライタ７０ｂから送信された搬送波には、ＩＣカード１の表示制御部４０及び表示部５０を駆動させるための電力が乗せられており、リーダ／ライタ７０ｂの制御部７１ｂは、搬送波に乗せる電力を制御している。
【００５７】
すると、電源生成部３０の整流回路３１において、送受信部１０ｂにて取得された交流電流から、表示制御部４０及び表示部５０を駆動させるために必要となる電力に応じた電流が取り出され、この電流が整流されて直流電流に変換される。そして、定電圧制御回路３２において、整流回路３１にて直流に変換された電流から安定した電圧を有する電源が生成され、それにより、表示制御部４０及び表示部５０の駆動に必要となる電力が生成され（ステップ１０）、この電力によって表示制御部４０が起動する（ステップ１１）。
【００５８】
表示制御部４０においては、記憶部２５に記憶された情報が読み出され（ステップ１２）、読み出された情報が、表示制御部４０の制御によって表示部５０に表示される（ステップ１３）。
【００５９】
後述する表示情報の更新があった場合は、表示制御部４０の制御によって、更新された表示情報が記憶部２５に記憶される（ステップ１４）。
【００６０】
その後、リーダ／ライタ７０ｂからの搬送波の送信が終了する（ステップ１５）。
【００６１】
このように、処理部２４を駆動させるための電力は、送受信部１０ａにて取得された交流電流から生成され、表示制御部４０及び制御部５０を駆動させるための電力は、送受信部１０ｂにて取得された交流電流から生成されるというように、処理部２４を駆動させるための電力と、表示制御部４０及び制御部５０を駆動させるための電力とが別個に生成されるため、処理部２５にて非接触通信による処理のみを行う場合に非接触通信のためだけの電力を得るだけで済み、かつ、非接触通信と表示制御とを同時に行う場合に、電力が分散してしまうことがなく、非接触通信と表示制御とで必要となる電力をそれぞれ確実に得ることができる。
【００６２】
なお、上述した一連の処理においては、リーダ／ライタ７０ｂにおいて、ＩＣカード１における表示制御の電力生成のための搬送波の送信がステップ８にて開始され、ステップ１５にて終了しているが、リーダ／ライタ７０ｂから搬送波を常時出力し続けていても良い。
【００６３】
また、ステップ１〜７の処理とステップ８〜１５の処理とは互いに独立しており、必ずしも、ステップ１〜７の処理とステップ８〜１５の処理とを一度に連続して実行する必要はない。
【００６４】
以下に、表示部５０に表示される情報の更新時の動作について詳細に説明する。
【００６５】
図５は、図１及び図２に示したＩＣカード１にて表示部５０に表示される情報の更新時の動作を説明するためのフローチャートである。なお、以下の説明においては、図１及び図２のうち図２に示した構成要素を用いてＩＣカード１の動作を説明する。
【００６６】
リーダ／ライタ７０ａ（図３参照）から、表示部５０に表示すべき情報を搬送波に乗せて送信する場合は、まず、記憶部２５に記憶された表示用情報をリセットするためのコマンドがリーダ／ライタ７０ａから送信される。
【００６７】
このコマンドが送受信部１０ａにて受信されると、処理部２４において、記憶部２５に記憶された表示用情報に付与されたフラグが“０”に設定され、表示用情報がリセットされる（ステップ２１）。記憶部２５においては、表示用情報が記憶された番地とは別の番地に、その表示用情報が既に表示されたかどうかを示すフラグが設定可能となっている。
【００６８】
そして、上述した処理によって、リーダ／ライタ７０ａから送信された搬送波に乗せられた表示用情報が受信され（ステップ２２）、受信された表示用情報が処理部２４によって記憶部２５に記憶される（ステップ２３）。
【００６９】
その際、処理部２４の制御によって、記憶部２５に記憶された表示用情報がまだ表示されていないことを示すために、記憶部２５に記憶された情報に対応するフラグが“１”に設定される（ステップ２４）。
【００７０】
次に、リーダ／ライタ７０ｂ（図３参照）から送信された搬送波が送受信部１０ｂにて受信されると、この搬送波に乗せられた電力によって表示制御部４０が駆動し、記憶部２５に記憶された表示用情報に付与されたフラグが表示制御部４０によって確認され、そのフラグが“１”に設定されていた場合（ステップ２５）、その表示情報が記憶部２５から取り出され、表示制御部４０の制御によって表示部５０に表示される（ステップ２６）。
【００７１】
その後、表示制御部４０において、表示部５０に表示した表示情報に対応するフラグが“０”にリセットされる（ステップ２７）。
【００７２】
なお、表示部５０としては、有機ＥＬ素子を用いたものやＬＥＤを用いたもの等も考えられるが、上述したように、電気泳動タイプや電子粉粒タイプ、エレクトロクロミック等のものを用いることで、表示部５０にて情報を更新する際には電源が必要となるものの、情報を更新せずに表示し続ける場合に電源を不要とすることができる。
【符号の説明】
【００７３】
１    ＩＣカード
２    情報表示領域
３ａ，３ｂ    アンテナ
４    ＩＣチップ
５    情報表示部
６    表示電源部
７    表示ドライバ
８    ＣＰＵ
１０ａ，１０ｂ，７２ａ，７２ｂ    送受信部
２０    通信情報処理部
２１    変復調回路
２２，３１    整流回路
２３，３２    定電圧制御回路
２４    処理部
２５    記憶部
３０    電源生成部
４０    表示制御部
５０    表示部
７０ａ，７０ｂ    リーダ／ライタ
７１ａ，７１ｂ    制御部
【図１】
2015031988.tif 000003
【図２】
2015031988.tif 000004
【図３】
2015031988.tif 000005
【図４】
2015031988.tif 000006
【図５】
2015031988.tif 000007